(57)【特許請求の範囲】
【請求項１】
手袋本体と、熱媒を収納し、前記手袋本体の掌側、甲側のいずれかに搭載する可撓性の袋体と、該袋体と一体に組み合わせる発熱体と、前記手袋本体に付設し、前記袋体の出口ポートから入口ポートに至る熱媒用の循環経路とを備えてなり、該循環経路は、前記手袋本体の各指部に付設する分岐経路を含み、前記袋体は、前記手袋本体を手に装着して手指を屈伸させると、内容積が大小に変化してポンプ作用を発揮し、前記循環経路に熱媒を循環させることを特徴とする手袋。
【請求項２】
前記出口ポート、入口ポートには、それぞれ所定方向の逆止弁を内装することを特徴とする請求項１記載の手袋。
【請求項３】
前記循環経路は、圧力調整用のチャンバを中途に設けることを特徴とする請求項１または請求項２記載の手袋。
【請求項４】
前記発熱体は、前記袋体の上面に付着させることを特徴とする請求項１ないし請求項３のいずれか記載の手袋。
【請求項５】
前記発熱体は、二つ折りに折り重ねる前記袋体に挟み込むことを特徴とする請求項１ないし請求項３のいずれか記載の手袋。
【発明の詳細な説明】
【技術分野】
【０００１】
この発明は、指先などを加温して採暖することができる手袋に関する。
【背景技術】
【０００２】
電気ヒータを使用しない採暖用の手袋が提案されている（たとえば特許文献１）。
【０００３】
従来の採暖用の手袋は、触媒反応を利用して液化燃料ガスを酸化反応させる触媒燃焼加熱装置を使用して熱媒を加熱し、手袋の表面全体に配設する熱媒通路に加熱熱媒を循環させる。なお、熱媒は、専用の循環装置を介して循環させるものとする。
【先行技術文献】
【特許文献】
【０００４】
【特許文献１】特開２００１−１１５３１７号公報
【発明の概要】
【発明が解決しようとする課題】
【０００５】
かかる従来技術によるときは、熱媒を加熱して循環させる熱源ユニットは、触媒燃焼加熱装置に加えて、液化燃料ガス用の燃料タンクと、熱媒用の循環装置とを組み合わせるため、重量、体積が過大であって手袋と一体に構成することが困難であり、使い勝手が悪く、実用性に乏しいという問題が避けられない。
【０００６】
そこで、この発明の目的は、かかる従来技術の問題に鑑み、発熱体と一体に組み合わせる可撓性の袋体を手袋本体に搭載することによって、良好な使い勝手を実現し、実用性を高めることができる手袋を提供することにある。
【課題を解決するための手段】
【０００７】
かかる目的を達成するためのこの発明の構成は、手袋本体と、熱媒を収納し、手袋本体の掌側、甲側のいずれかに搭載する可撓性の袋体と、袋体と一体に組み合わせる発熱体と、手袋本体に付設し、袋体の出口ポートから入口ポートに至る熱媒用の循環経路とを備えてなり、循環経路は、手袋本体の各指部に付設する分岐経路を含み、袋体は、手袋本体を手に装着して手指を屈伸させると、内容積が大小に変化してポンプ作用を発揮し、循環経路に熱媒を循環させることをその要旨とする。
【０００８】
なお、出口ポート、入口ポートには、それぞれ所定方向の逆止弁を内装することができ、循環経路は、圧力調整用のチャンバを中途に設けることができる。
【０００９】
また、発熱体は、袋体の上面に付着させてもよく、二つ折りに折り重ねる袋体に挟み込んでもよい。
【発明の効果】
【００１０】
かかる発明の構成によるときは、手袋本体に搭載する袋体は、手袋本体を装着した手を拳状に握り、また、それを開くようにして手指を屈伸させることにより、内容積が変化してポンプ作用を発揮し、熱媒を循環経路に循環させて採暖することができる。袋体内の熱媒は、袋体と一体の発熱体からの熱によって加温されているからである。なお、手袋本体の掌側に搭載する袋体は、手指を曲げることにより掌内に握り潰されて内容積が小さくなり、手指を伸ばすと、弾性により元の形状、内容積に復帰する。また、手袋本体の甲側に搭載する袋体は、手指を曲げることにより人差指から小指に至る４指の付け根の中手指節関節（ＭＰ関節）が甲側に山側に突出するため薄く変形して内容積が小さくなり、手指を伸ばすと、弾性により元の形状、内容積に復帰する。熱媒用の循環経路とともに発熱体付きの袋体が手袋本体に一体に搭載されているため、十分に軽量であり、良好な使い勝手を実現し、実用性を向上させることができる。
【００１１】
ただし、掌側の袋体は、手袋本体に対し、手指を曲げて掌内に握り込み易い位置に搭載するものとし、甲側の袋体は、人差指から小指に至る４指の中手指節関節の全部または一部に対応する位置に搭載するものとする。発熱体は、袋体内の熱媒を加温するために袋体と一体に組み合わせ、鉄粉の酸化作用を利用する使い捨てカイロ（ＪＩＳ  Ｓ  ４１００）が好適である。また、熱媒の循環経路は、手袋本体の各指部に付設する分岐経路を含むため、冷感を感じ易い指先部分を効果的に加温することができる。なお、熱媒は、水でもよいが、グリセリンと水との混合液などの無毒性の不凍液を使用してもよい。ただし、ここでいう手袋本体とは、５本指の手袋形の基材であって、柔軟な材料によって形成するものとする。
【００１２】
袋体の出口ポート、入口ポートには、それぞれ熱媒の流出方向、流入方向の逆止弁を内装することにより、袋体のポンプ作用を確実に発揮させることができる。
【００１３】
循環経路の中途に圧力調整用のチャンバを設ければ、袋体の内容積を小さくして熱媒を循環経路に流出させる際に、循環経路内の圧力が過大に上昇するおそれがない。
【００１４】
発熱体は、手袋本体の表面に搭載する袋体の上面に付着させてもよく、二つ折りに折り重ねる袋体に挟み込んでもよい。後者によれば、発熱体の上下両面からの熱を袋体内の熱媒に伝達させることができ、熱媒の加温が一層効果的である。
【図面の簡単な説明】
【００１５】
【図１】全体構成模式正面図
【図２】袋体、発熱体の組合せ状態説明図
【図３】使用状態説明図
【図４】他の実施の形態を示す図２相当図
【図５】他の実施の形態を示す要部模式構成図
【図６】他の実施の形態を示す要部構成説明図（１）
【図７】他の実施の形態を示す要部構成説明図（２）
【図８】他の実施の形態を示す要部構成説明図（３）
【発明を実施するための形態】
【００１６】
以下、図面を以って発明の実施の形態を説明する。
【００１７】
手袋は、手袋本体１１と、手袋本体１１に搭載する袋体１２と、袋体１２に一体に組み合わせる発熱体１３と、袋体１２の出口ポート１２ａから入口ポート１２ｂに至る熱媒用の循環経路２０とを備えてなる（図１）。
【００１８】
手袋本体１１は、薄い柔軟材料により使用者の手に適合する手袋形に形成されている。手袋本体１１は、右手用、左手用に区分されていてもよく、左右兼用であってもよい。
【００１９】
袋体１２は、適切な弾性、可撓性を有し、図示しない熱媒が充填されている。袋体１２には、出口ポート１２ａ、入口ポート１２ｂが形成されており、出口ポート１２ａには、熱媒の流出方向の逆止弁１２ａ1 が内装され、入口ポート１２ｂには、熱媒の流入方向の逆止弁１２ｂ1 が内装されている。なお、袋体１２は、出口ポート１２ａ、入口ポート１２ｂを除く四周が密閉されており、出口ポート１２ａ、入口ポート１２ｂの形成位置は、図１に拘らず任意に変更可能である。袋体１２は、たとえば四周の細幅のとじ代１２ｃを介して薄い２枚のシート材を水密に貼り合わせて形成することができる（図２）。ただし、図２（Ａ）、（Ｂ）は、それぞれ一体に組み合わせる袋体１２、発熱体１３の上面図、側面図である。
【００２０】
循環経路２０は、袋体１２の出口ポート１２ａ、入口ポート１２ｂにそれぞれ接続する主経路２１、２２の他、手袋本体１１の各指部１１ａに付設する分岐経路２３、２３…を含んでいる（図１）。そこで、袋体１２の出口ポート１２ａから流出する熱媒は、主経路２１から各指部１１ａの分岐経路２３、２３…に分岐し、主経路２２、入口ポート１２ｂを経て袋体１２に戻るように循環する（図１の矢印方向）。
【００２１】
発熱体１３は、手袋本体１１の表面上の袋体１２の上面に一体に付着されている（図１、図２）。なお、発熱体１３は、可撓性の使い捨てカイロを使用する。発熱体１３は、袋体１２に対し、交換可能に組み合わせてもよく、交換不能に組み合わせて手袋本体１１を含む全体を使い捨てにしてもよい。
【００２２】
発熱体１３付きの袋体１２は、手袋本体１１の掌側に搭載してもよく（図３（Ａ））、甲側に搭載してもよい（図３（Ｂ））。ただし、図３（Ａ）、（Ｂ）において、袋体１２は、手袋本体１１を使用者の手Ｈに装着したとき、手Ｈに対する相対位置が理解し易いように、手袋本体１１、循環経路２０の図示が省略されている。
【００２３】
かかる手袋は、袋体１２上の発熱体１３を発熱させて袋体１２内の熱媒を加温するとともに、袋体１２の内容積を大小に変化させてポンプ作用を発揮させることにより、加温された熱媒を循環経路２０の分岐経路２３、２３…に循環させ、指先部分を含む使用者の手Ｈを効果的に加温することができる。なお、袋体１２の内容積を変化させるには、手袋本体１１を装着した手Ｈの手指を曲げることにより、掌側の袋体１２を握り潰し、または甲側の袋体１２を薄く変形させて袋体１２の内容積を減少させた後、手指を伸ばして袋体１２を弾性により元の形状、内容積に復帰させればよい。
【００２４】
以上の説明において、手袋本体１１は、薄い保護用のカバー材１１ｂを付設することにより、全体を２重構造にしてもよい（図１の一点鎖線）。なお、カバー材１１ｂは、手袋本体１１と、手袋本体１１上の発熱体１３付きの袋体１２と、分岐経路２３、２３…を含む循環経路２０との全部を覆うものとする。
【他の実施の形態】
【００２５】
発熱体１３は、二つ折りに折り重ねる袋体１２の間に挟み込むようにして袋体１２と一体に組み合わせることができる（図４）。ただし、図４（Ａ）、（Ｂ）は、それぞれ袋体１２を折り重ねる前の上面図、折り重ねた後の側面図である。
【００２６】
図４（Ａ）において、発熱体１３は、長方形の袋体１２の左半部に付着されている。そこで、袋体１２の右半部を発熱体１３上に折り重ねて付着することにより（図４（Ｂ））、発熱体１３の上下両面を袋体１２に密着させることができる。なお、袋体１２の出口ポート１２ａ、入口ポート１２ｂは、折重ね前の袋体１２の対向する２短辺上に形成することにより（図４（Ａ））、折重ね後の袋体１２の一辺から同方向に突出させることができる（図４（Ｂ））。
【００２７】
循環経路２０に含まれる手袋本体１１の各指部１１ａごとの分岐経路２３は、各指部１１ａにヘリカル状に巻き付ける往復管路として形成することができる（図５）。ただし、図５には、簡単のために、使用者の手Ｈに装着する図示しない手袋本体１１上の人差指用の分岐経路２３のみが代表的に図示されている。なお、図５の矢印は、分岐経路２３内の熱媒の流れを示す。
【００２８】
手袋本体１１の各指部１１ａごとの分岐経路２３は、使用者の手Ｈの各手指Ｈa の背側の往路２３ａ、腹側の復路２３ｂとして形成することができる（図６）。ただし、図６（Ａ）は、図５相当の要部模式構成図であり、図６（Ｂ）、（Ｃ）は、それぞれ図６（Ａ）の要部拡大詳細図、図６（Ｂ）のＸ−Ｘ線矢視相当断面図である。
【００２９】
分岐経路２３の往路２３ａ、復路２３ｂは、それぞれ共通のとじ代２３ｃを介して接着する内外のフィルム２３ａ1 、２３ａ2 、２３ｂ1 、２３ｂ2 から形成されている。また、往路２３ａ、復路２３ｂは、手指Ｈa の先端に対応する透孔２３ｄを介して連通されている。往路２３ａ、復路２３ｂは、手指Ｈa に適合する指サック状に形成し、手袋本体１１の指部１１ａとして形成することができる。
【００３０】
手袋本体１１の各指部１１ａごとの分岐経路２３は、使用者の手Ｈの手指Ｈa の両側部の往路２３ａ、２３ａ、背側の復路２３ｂとして形成してもよい（図７）。ただし、図７（Ａ）は、図５相当の要部模式構成図であり、図７（Ｂ）、（Ｃ）は、それぞれ図７（Ａ）の要部拡大詳細図、図７（Ｂ）のＹ−Ｙ線矢視相当断面図である。往路２３ａ、２３ａ、復路２３ｂは、手指Ｈa の先端に対応する透孔２３ｄを介して連通されており、手指Ｈa の腹側を開放させて手袋本体１１の指部１１ａの一部として形成することができる。
【００３１】
以上の説明において、循環経路２０の中途には、圧力調整用のチャンバ２４を設けてもよい（図８）。袋体１２の内容積を小さくして出口ポート１２ａから熱媒を主経路２１側に送出すると（図８（Ａ））、熱媒の一部がチャンバ２４に流入してチャンバ２４を膨張させ、循環経路２０内の過大な圧力上昇を防止する。一方、袋体１２の弾性により内容積を復元させて入口ポート１２ｂから熱媒を袋体１２に流入させると（図８（Ｂ））、チャンバ２４も収縮して内部の熱媒を循環経路２０に戻す。ただし、図８において、手袋本体１１、分岐経路２３、２３…は、図示が省略されている。
【００３２】
なお、循環経路２０の主経路２１、２２には、それぞれ１個以上の所定方向の逆止弁２１ａ、２２ａを内装してもよい（図８（Ａ）、（Ｂ））。チャンバ２４に熱媒が出入りする際にも、主経路２１、２２における熱媒の流れが乱されるおそれがない。
【産業上の利用可能性】
【００３３】
この発明は、採暖機能を必要とする任意の用途の手袋に対して広く好適に使用することができる。
【符号の説明】
【００３４】
Ｈ…手
Ｈa …手指
１１…手袋本体
１１ａ…指部
１２…袋体
１２ａ…出口ポート
１２ｂ…入口ポート
１２ａ1 、１２ｂ1 …逆止弁
１３…発熱体
２０…循環経路
２３…分岐経路
２４…チャンバ
特許出願人      株式会社  リニア・サーキット
【図１】
0005921959.tif 000002
【図２】
0005921959.tif 000003
【図３】
0005921959.tif 000004
【図４】
0005921959.tif 000005
【図５】
0005921959.tif 000006
【図６】
0005921959.tif 000007
【図７】
0005921959.tif 000008
【図８】
0005921959.tif 000009